Podtech/llm-jp-corpus-v4-ja_patent huggingface dataset:
(57)【要約】      （修正有）【課題】遊びながら乳幼児の足裏にさまざまな刺激を与えることができる足踏みマットフィールドを提供する。【解決手段】基板材質とその表面に形成される突起、突条形状、或いはその表面の植毛形状の組み合わせにより得られる足裏に異なった感覚を生ずる複数のマット２〜５を適宜な間隔で配置してなる乳幼児用パネル型足踏みマットフィールドである。足裏に異なった感覚を生ずる複数のマットに鮮やかな着色を施すのが好ましい。【選択図】図１
0003201274.tif 000002
【実用新案登録請求の範囲】
【請求項１】
足裏に異なった感覚を生ずる複数のマットを適宜な間隔で配置してなる乳幼児用パネル型足踏みマットフィールド。
【請求項２】
足裏に異なった感覚を生ずる複数のマットが基板材質とその表面に形成される突起、突条形状、或いはその表面の植毛形状の組み合わせにより得る請求項１記載のフィールド。
【請求項３】
複数のマットに鮮やかな着色を施すようにした請求項１記載のフィールド。
【考案の詳細な説明】
【技術分野】
【０００１】
本願考案は、乳幼児用パネル型足踏みマットフィールドに関するものである。
【背景技術】
【０００２】
従来、足踏みマットとしては、ゴム又はプラスチックによる基板に、自然石による石をマット基板から突出して埋設又は圧着した足踏みマット（特開平８−２４３０６）。
【０００３】
また、マットの上に取り付けられた大小のいろいろな形状の透明体突起に着色を施してマット上に取り付けるようにした足踏みマット（特開２０００−１０２５９０）等が知られている。
【先行技術文献】
【特許文献】
【０００４】
【特許文献１】特開平８−２４３０６
【特許文献２】特開２０００−１０２５９０
【考案の概要】
【考案が解決しようとする課題】
【０００５】
これに対して、歩き始めの乳幼児の足裏にさまざまな刺激を与えることで、土踏まずが形成され、元気で丈夫な歩行の発達を促すことが知られている。
【０００６】
本願考案は乳幼児が遊びながら足裏にさまざまな刺激を与えることができるような足踏みマットを提案することを目的とするものである。
【課題を解決するための手段】
【０００７】
そこで、本願考案は基板材質とその表面に形成される突起、突条形状、或いはその表面の植毛形状の組み合わせにより足裏に異なった感覚を生ずる複数のマットを適宜な間隔で配置してなる乳幼児用パネル型足踏みマットフィールドを提案するものである。
【０００８】
乳幼児用足踏み場に使用する足裏に異なった感覚を生ずる複数のマットは、例えば基板材質とその表面に形成される突起、突条形状、或いはその表面の植毛形状の組み合わせにより得ることができる。
【０００９】
本願考案に係わるマットの基板材質は、固さ／やわらかさを基準としては、例えば木材、FRP、EVA、ポリオレフィン、ゲル素材、ゴム等から選択される。
【００１０】
また、基板表面に形成する突起としては細かい突起、粗い突起、大きな突起、小さな突起等を選択することができる。
【００１１】
更に、基板表面に形成する突条としては細かい突条、太い突条、交差する突条等を選択することができる。
【００１２】
これら基板材質とその表面に形成される突起、突条形状、或いはその表面の植毛形状の組み合わせにより足裏に異なった感覚を生ずる複数のマットを得ることができる。
【００１３】
例えば、足裏に、「ブツブツ」、「ぷくぷく」、「ポツポツ」、「もさもさ」、「ゴツゴツ」、「むにゃむにゃ」等の感触を与える複数のマットが得られる。
【００１４】
これらのマットを適宜間隔で配置し、乳幼児には裸足で、これらのマット上を乳幼児に渡り歩かせることにより足裏にさまざまな刺激が与えられることで、土踏まず形成され、元気で丈夫な歩行の発達が促される。
【００１５】
また、不安定なマット上に立ったり、足踏みすることにより足指の力を増すことができる。
【００１６】
なお、乳幼児が興味関心を持たせ、マット上の歩行や足踏みを促せるために、これらフィールド内に配置されるマットには鮮やかな着色を施すようにしてもよい。
【００１７】
更に、マットの配置を様々に工夫することにより、乳幼児の興味を起こすことができ、運動量をアップさせることができる。  
【００１８】
なお、本願考案は複数のマットを基本的には平置きして遊べるので、安心・安全である。
【考案の効果】
【００１９】
以上要するに、本願考案によれば、歩き始めの乳幼児の足裏にさまざまな刺激を与えることで、土踏まずが形成され、元気で丈夫な歩行の発達を促したり、足指の力を増すことができる。
【図面の簡単な説明】
【００２０】
【図１】本願考案に係わる複数のマットを配置した乳幼児用パネル型足踏みマットフィールドの一例を示す斜視図
【図２】同上の一つマットの一例を示す斜視図
【考案を実施するための形態】
【００２１】
基板材質とその表面に形成される突起、突条形状、或いはその表面の植毛形状の組み合わせにより「もさもさ」、「ブツブツ」、「ぷくぷく」等の足裏に異なった感覚を生ずる複数のマットを適宜な間隔で配置してなる乳幼児用パネル型足踏みマットフィールド。
【実施例１】
【００２２】
以下、本願考案の実施例を示す。１は本願考案に係わる乳幼児用パネル型足踏みマットフィールドであり、足踏みマットフィールド１は「もさもさ」した足裏感覚のマット２、「ゴツゴツ」した足裏感覚のマット３、「ポツポツ」した足裏感覚のマット４、「むにゅむにゅ」した足裏感覚のマット５を適宜間隔で配置して構成される。
【００２３】
なお、マット２、マット３、マット４、マット５には乳幼児がマット上の歩行や足踏みに興味関心を持たせるように鮮やかな異なる着色が施されている。
【００２４】
乳幼児には、裸足でマット２上で足踏み運動し、次にマット３上、マット４上、マット５上で順次足踏み運動させる。これにより歩き始めの乳幼児の足裏にさまざまな刺激を与えることで、土踏まずが形成され、元気で丈夫な歩行の発達を促したり、足指の力を増すことができる。
【産業上の利用可能性】
【００２５】
本願考案によれば、歩き始めの乳幼児の足裏にさまざまな刺激を与えることで、土踏まずが形成され、元気で丈夫な歩行の発達を促したり、足指の力を増すことができるような乳幼児用足踏み運動場を提供できる。
【符号の説明】
【００２６】
１    パネル型足踏みマットフィールド
２  「もさもさ」した足裏感覚のマット
３  「ゴツゴツ」した足裏感覚のマット
４  「ポツポツ」した足裏感覚のマット
５  「むにゅむにゅ」した足裏感覚のマット
【図１】
0003201274.tif 000003
【図２】
0003201274.tif 000004
【手続補正書】
【提出日】平成27年9月30日(2015.9.30)
【手続補正１】
【補正対象書類名】実用新案登録請求の範囲
【補正対象項目名】全文
【補正方法】変更
【補正の内容】
【実用新案登録請求の範囲】
【請求項１】
基板材質とその表面に形成される突起、突条形状、或いはその表面の植毛形状の組み合わせにより得られる足裏に異なった感覚を生ずる複数のマットを適宜な間隔で配置してなる乳幼児用パネル型足踏みマットフィールド。
【請求項２】
足裏に異なった感覚を生ずる複数のマットに鮮やかな着色を施すようにした請求項１記載のマットフィールド。
(57)【要約】      （修正有）【課題】単一素材で強固に固定せずとも機能し、容易に着脱自在であり、かつ装飾的価値のある多目的タグを提供する。【解決手段】物品に巻きつけて装着する着脱自在の帯状であって、長手方向の一方の端部Ａにスリット部Ｄを設けてあり、他方の端部は、前記の端部Ａよりも幅広の先端部Ｂに切り込み部Ｃを設け自由端部とする。前記のスリット部Ｄに、先端部Ｂを挿入することにより、物品に巻きつけて装着する。スリット部Ｄから先端部Ｂを引き抜いて分離した後において、復元性を有する単一の柔軟性素材によって構成されることが好ましい。【選択図】図１
0003201275.tif 000002
【実用新案登録請求の範囲】
【請求項１】
物品に巻きつけて装着する着脱自在の帯状の多目的タグであって、
（１）長手方向の一方の端部は、その中央近傍に長手方向と略平行のスリット部を設けてあり、
（２）長手方向の他方の端部は、前記（１）の端部よりも幅広の先端部を形成するとともに、当該先端部の基端部から先端部の端に向けて切り込み部を設けることにより自由端部を設けてあり、
（３）前記（１）のスリット部に、前記（２）の先端部を挿入することにより、物品に巻きつけて装着するように構成してある多目的タグ。
【請求項２】
前記（１）のスリット部から前記（２）の先端部を引き抜いて分離した後において、復元性を有する単一の柔軟性素材によって構成される請求項１記載の多目的タグ。
【考案の詳細な説明】
【技術分野】
【０００１】  本考案は、多種多様な物品に巻きつけて装着することが可能であり、かつ着脱自在である帯状の多目的タグに関する。
【背景技術】
【０００２】  従来、各種の物品に装着する下げ札、付け札、荷札などのタグが汎用されている。また贈答品等に添える、のし紙やリボンなどの装飾用品も使用されている。【０００３】  従来のタグにおける一般的な構造は、一枚の小紙片などを被取り付け物に応じた紐や糸やゴム、針金などで結んだり、被取り付け物に開けた穴などを通して吊り下げたりしている。また、ラベル上に接着層を設け、その接着層を介して被取り付け物へ貼り付ける構成も採用されている。
【先行技術文献】
【特許文献】
【０００４】
【特許文献１】  実用新案登録第３１０４８３３号  公報
【特許文献２】  実用新案登録第３１１６３３８号  公報
【考案の概要】
【考案が解決しようとする課題】
【０００５】  従来のタグは、通常、単一素材で機能せず、また単一素材であっても取り付け時に結んだり、接着したりという作業を要する。さらに、従来のタグは着脱により形状を保てず、使い切りとなる場合も多い。これらの問題に加えて、従来のタグは強固に固定をしないと構造上、または素材特性上、容易に外れてしまう。【０００６】  本考案の課題は、単一素材で強固に固定せずとも機能し、容易に着脱自在であり、かつ装飾的価値のあるタグを提供することにある。
【課題を解決するための手段】
【０００７】  本考案は、物品に巻きつけて装着する着脱自在の帯状の多目的タグであって、（１）長手方向の一方の端部は、その中央近傍に長手方向と略平行のスリット部を設けてあり、（２）長手方向の他方の端部は、前記（１）の端部よりも幅広の先端部を形成するとともに、当該先端部の基端部から先端部の端に向けて切り込み部を設けることにより自由端部を設けてあり、（３）前記（１）のスリット部に、前記（２）の先端部を挿入することにより、物品に巻きつけて装着するように構成することを特徴とする。【０００８】  このような本考案の多目的タグは、前記（１）のスリット部から前記（２）の先端部を引き抜いて分離した後において、復元性を有する単一の柔軟性素材によって構成されることが好ましい。
【考案の効果】
【０００９】  本考案の多目的タグは、容易に着脱することができるとともに、意図しない脱落などを防止できるという効果を奏する。また本考案の多目的タグは、物品に繰り返し装着して使用することができる。さらに本考案の多目的タグは、適宜の方法により刻印や着色等を施すことにより装飾効果を高めることもできる。
【図面の簡単な説明】
【００１０】
【図１】上面図
【図２】底面図
【図３】使用図
【考案を実施するための形態】
【００１１】  平面状の柔軟性素材を、あらかじめ形状に沿って作成した金型やレーザー加工などで裁断し帯状の形状を作る。柔軟性素材としては、例えば、合成または天然皮革、シリコーンゴムなどが好ましく用いられる。長手方向の他方の端部（Ａ）の幅を１５ｍｍ〜３０ｍｍとすると、先端部（Ｂ）の幅はその倍数の３０ｍｍ〜６０ｍｍに設定し、先端部の基端部中央から当該先端部の端に向けて切り込み部（Ｃ）を設ける。
このため先端部は自由端部となり容易に二つ折りにすることができる。
【００１２】  他方の端部の途中にスリット部（Ｄ）を設け、その両端は円形の穴開けポンチなどを用い、丸い形状の穴を設けておくことができる。スリット部（Ｄ）の長さは他方の端部の幅より３ｍｍ〜５ｍｍ以上長く、先端部の幅より６ｍｍ〜１０ｍｍ以上短いことが望ましい。理想的な寸法としては他方の端部の幅が２７ｍｍの場合、切り込み部３０ｍｍ、スリット部４５ｍｍとする。これにより着脱自在になり、かつ着脱時に素材に余計な負担がかからない。
【００１３】  先端は中央を頂点とした高さ２０ｍｍ〜３０ｍｍ程度の二等辺三角形状（Ｅ）にするとネクタイモチーフとして、装飾的価値を高めることが出来る。またこの三角形状の剣先部分に文字などを刻印または印刷することでより装飾性を高め、タグ自体にメッセージ性を持たせることも可能である。
【実施例】
【００１４】  全長２４０ｍｍ、先端部の長さ８０ｍｍに設定すると、図３のようにワインボトルなど酒類容器の円柱状肩部に巻きつけて装着するのに最適な形状である。【００１５】  また図３のように酒類容器のラベル側に、剣先状部の向きを合わせることで、贈答用のタグとして用いることができる。
【産業用の利用の可能性】
【００１６】  前述の例のように酒類容器に取り付けることで贈答用としての装飾的価値やメッセージ性を持たせる装飾物として利用することができる。
【００１７】  また同様に酒類容器に用いる態様として、文字をあらかじめ入れないでおき、日付や名前などを後から記入することで飲食店などのボトルキープ用のタグとして利用することもできる。
【００１８】  また酒類容器に限らず、リング状の形態で引っ掛けるもしくは取り付ける形状である限り、多種多様な物品に装飾性を付加し、贈答用としてのメッセージ性を持たせることが可能である。
【符号の説明】
【００１９】  Ａ  長手方向の他方の端部
Ｂ  先端部
Ｃ  先端部の切り込み部
Ｄ  長手方向端部のスリット部
Ｅ  先端部の三角形状の剣先部
【図１】
0003201275.tif 000003
【図２】
0003201275.tif 000004
【図３】
0003201275.tif 000005
(57)【要約】      （修正有）【課題】鼻に眼鏡跡がつかず、鼻のメイクがはがれず、眼鏡の重みによって引き起こされる痛みや色素沈着の心配がない、鼻に眼鏡跡がつかないアクセサリーを提供する。【解決手段】適宜の厚さ、あるいは丸みを持たせたシリコンやウレタン、あるいは適宜の素材で作った、さまざまな形の眼鏡に装着するための穴を設けたさまざまな形のアクセサリーである。眼鏡のつるの太さを選ばず、手持ちの眼鏡に装着して眼鏡を浮かすことができる。【選択図】図５
0003201281.tif 000002
【実用新案登録請求の範囲】
【請求項１】
本考案は、適宜の厚さ、あるいは丸みを持たせたシリコンやウレタン、あるいは適宜の素材で作った、さまざまな形の眼鏡に装着するための穴を設けた、さまざまな形のアクセサリー。
【請求項２】
本考案は、適宜の厚さ、あるいは丸みを持たせたシリコンやウレタン、あるいは適宜の素材で作ったアクセサリー本体に穴を開けず、眼鏡のつるを通すための溝を本体の淵から設けたさまざまな形のアクセサリー。
【考案の詳細な説明】
【技術分野】
【０００１】  本考案は、眼鏡のツルに装着し、鼻に眼鏡跡がつかないアクセサリーに関するものである。
【背景技術】
【０００２】  従来の眼鏡の鼻当ての部分は、プラスチックや樹脂などの鼻パッドを取り付けて構成されている。【０００３】  眼鏡をつけていると眼鏡の重みで鼻当ての当たっている部分が痛くなったり、鼻当ての跡がついてしまっていた。長年、眼鏡をかけ続けていて鼻当ての当たる部分が色素沈着を引き起こしてしまっている人もいる。外出先で、鼻のメイクがはがれているために眼鏡を外せないといったこともあった。弾性の素材で作った鼻パッドも色々市販されているが、それで眼鏡の重みが多少軽減されたとしても、鼻当ての当たっている部分が痛くなったり、鼻当ての跡がついてしまうという欠点がなくなるわけではなかった。
【先行技術文献】
【特許文献】
【０００４】
【特許文献１】  特開  ２００７−３１６５３０公報
【考案の概要】
【考案が解決しようとする課題】
【０００６】  本考案は以上のような従来の欠点に鑑み、眼鏡の重みで鼻当ての当たっている部分が痛くなったり、鼻のメイクがはがれたり、鼻当ての跡がついたり、色素沈着を防ぐことを目的としている。
【課題を解決するための手段】
【０００７】  シリコンやウレタン、あるいは適宜の素材で作ったアクセサリーを眼鏡のつるに取り付けることで眼鏡を浮かせ、鼻当てが鼻にくっつかないようにする。
【考案の効果】
【０００８】上述のように、適宜の素材で作ったアクセサリーを眼鏡のつるに取り付けることで、眼鏡を浮かせ、鼻当てが鼻にくっつかないようにする。また、本考案の、鼻に眼鏡跡がつかないアクセサリーは眼鏡のつるの太さを選ばず、手持ちの眼鏡に装着して使えるので眼鏡を買い替える必要がない。
【図面の簡単な説明】
【０００９】
【図１】本考案の鼻に眼鏡跡がつかないアクセサリーの正面図である。
【図２】本考案の鼻に眼鏡跡がつかないアクセサリーの斜め側面図である。
【図３】適宜の厚さ、あるいは丸みを持たせたシリコンやウレタン、あるいは適宜の素材で作ったさまざまな形のアクセサリー本体の淵から、さまざまな形の眼鏡に装着するための穴に通じる溝を設けた場合の、アクセサリーの正面図である。
【図４】本考案の鼻に眼鏡跡がつかないアクセサリーを眼鏡に装着した実施例を上から見た図である。
【図５】本考案の鼻に眼鏡跡がつかないアクセサリーを眼鏡に装着し、眼鏡をかけた婦人を横から見た図である。
【図６】本考案の鼻に眼鏡跡がつかないアクセサリーを眼鏡に装着し、眼鏡をかけた婦人を正面から見た図である。
【考案を実施するための形態】
【００１０】  適宜の厚さ、あるいは丸みを持たせたシリコンやウレタン、あるいは適宜の素材で作ったさまざまな形のアクセサリー本体に、眼鏡のつるを通すための穴を開ける。または、適宜の厚さ、あるいは丸みを持たせたシリコンやウレタン、あるいは適宜の素材で作ったさまざまな形のアクセサリー本体に穴を開けず、本体の淵から眼鏡のつるを通すための溝を設ける。
【実施例】
【００１１】  以下、添付図面［図１］に従って説明する。１は適宜の厚みを持たせたシリコンやウレタン、あるいは適宜の素材で作ったさまざまな形のアクセサリー。穴２を開けておいて、その穴に眼鏡のつるを通す。つるの太さは大小あるが、穴より太い場合はカッターなどで穴を大きくすることも可能なのでさまざまな太さのつるに対応可能とする。３と４の点あるいは縁が、頬あるいはこめかみ部分に当たるように装着する。それぞれの顔の形や頬の形はまちまちなので、鼻に眼鏡跡がつかないアクセサリーを適当な場所に移動させフィットする場所に置く。それにより眼鏡本体が鼻から浮くので鼻に眼鏡跡がつかないのである。
【産業上の利用可能性】
【００１２】  本考案は鼻に眼鏡跡がつかないアクセサリーを製造する産業で利用される。
【符号の説明】
【００１３】１  適宜の厚さ、あるいは丸みを持たせたシリコンやウレタン、あるいは適宜の素材で作った、さまざまな形の眼鏡に装着するアクセサリー本体。
２  手持ちの眼鏡のつるを通す穴。
３  頬あるいはこめかみ部分に当たる点、あるいは縁。
４  頬あるいはこめかみ部分に当たる点、あるいは縁。
５  適宜の厚さ、あるいは丸みを持たせたシリコンやウレタン、あるいは適宜の素材で作ったさまざまな形のアクセサリー本体の中央に穴を開けず、眼鏡のつるを通すために本体の淵から設けた溝。
６  手持ちの眼鏡のつるに装着した、鼻に眼鏡跡がつかないアクセサリー本体。
【図１】
0003201281.tif 000003
【図２】
0003201281.tif 000004
【図３】
0003201281.tif 000005
【図４】
0003201281.tif 000006
【図５】
0003201281.tif 000007
【図６】
0003201281.tif 000008
(57)【要約】      （修正有）【課題】ページを容易にめくることが可能となる本を提供する。【解決手段】本のページの紙の開く側の先端の一部位が巻頭から巻末のほうに向けて斜めに裁断してあることから常に一番上のページが手前（本を開く人）側に突出しており容易になる。【選択図】図１
0003201263.tif 000002
【実用新案登録請求の範囲】
【請求項１】
本の開く側の先端の一部位を巻頭から巻末方向に向け斜めに裁断する。
【考案の詳細な説明】
【技術分野】
【０００１】  本考案は、最上部のページの先端が指先に触れやすいように「図１」のように本の一部位を斜めに裁断する製本方法である。
【背景技術】
【０００２】  従来はページをめくりやすくするために本の一部位を斜めに裁断した本はなかった。
【考案の概要】
【考案が解決しようとする課題】
【０００３】  本は表紙を除き概して極めて薄い紙が用いられており一番上の１枚のみをめくるために指先の器用さと繊細な感覚が要求される。
【課題を解決するための手段】
【０００４】  ページをめくる際に、指先に触れる部位「図１の７の部位」を巻頭から巻末に向け斜めに裁断することにより指先に掛かりやすくした。
【考案の効果】
【０００５】  ページをめくる際、指に触れる部位「図１の７の部分」が下方に向けて斜めに裁断することにより、一番上のページが常に手前「本を見る人側」になり容易にめくることが可能となる。
【図面の簡単な説明】
【０００６】
【図１】  本の巻頭から巻末方向に斜めに裁断した部位を示した上方からの斜視図である。
【符号の説明】
【０００７】１  本の部分名称「天」
２  本の部分名称「地」
３  本の部分名称「表紙」
４  本の部分名称「背」
５  本の部分名称「角」
６  本の部分名称「小口」
７  本の一部位を巻頭から巻末方向に斜めに裁断した部分
【図１】
0003201263.tif 000003
【手続補正書】
【提出日】平成27年9月3日(2015.9.3)
【手続補正１】
【補正対象書類名】実用新案登録請求の範囲
【補正対象項目名】全文
【補正方法】変更
【補正の内容】
【実用新案登録請求の範囲】
【請求項１】
本の開く側の先端の一部位が巻頭から巻末方向に向け斜めに裁断されていることを特徴とする本。
(57)【要約】      （修正有）【課題】食器の中（内側）のものをすくう際に、すくい残しが発生しないスプーンを提供する。【解決手段】スプーンのものをすくう部位１（物を載せる部分）の縁のカーブの曲線を左右異なるものにして食器の内側の曲線に合わせて使い分けることによりフィット性を向上させてすくい残しを防ぐ。【選択図】図１
0003201264.tif 000002
【実用新案登録請求の範囲】
【請求項１】
スプーンのすくう部分の左右の縁をきついカーブ曲線とゆるいカーブ曲線の非対称とする。
【考案の詳細な説明】
【技術分野】
【０００１】  本考案は、スプーンのすくう部分（物を載せる皿状の部分）の片方を「図１」のように半月型にして縁の曲線を変えることにより多様な形状の食器の深さや内面の傾斜角度等に合わせて使い分けることによりすくい残しを防ぐものである。
【背景技術】
【０００２】  従来は、すくう部分が左右対称の楕円形のスプーンのみで、すくう部分の縁の形状が異なる曲線を有する左右非対称の半月型のスプーンはなかった。
【考案の概要】
【考案が解決しようとする課題】
【０００３】食器の形状は極めて多様であり、その大きさ、深さおよび食器内側の傾斜角度等において実に様々である。このためスプーンですくおうとしても食器内側のカーブの曲線とスプーンの縁のカーブの曲線がフィットせずすくい残しが少なからず発生する。
【課題を解決するための手段】
【０００４】スプーンのすくう部分の縁のカーブの曲線を左右非対称とし、使用する食器内側の形状に合わせスプーンの左右を使い分ける。
【考案の効果】
【０００５】形状が多様な食器の内側面に合わせることが容易になり、すくい残しを解消できる。
【図面の簡単な説明】
【０００６】
【図１】左右非対称の半月型スプーン（右半月）の平面図である。
【図２】左右非対称の半月型スプーン（左半月）の平面図である。
【符号の説明】
【０００７】１  物をすくう部位
２  手で握る「柄」の部位
【図１】
0003201264.tif 000003
【図２】
0003201264.tif 000004
【手続補正書】
【提出日】平成27年9月3日(2015.9.3)
【手続補正１】
【補正対象書類名】実用新案登録請求の範囲
【補正対象項目名】全文
【補正方法】変更
【補正の内容】
【実用新案登録請求の範囲】
【請求項１】
スプーンのすくう部分の左右の縁をきついカーブ曲線とゆるいカーブ曲線とすることを特徴とする左右非対称スプーン。
(57)【要約】      （修正有）【課題】物事を計画的に行う遂行機能、形を認識する図形認識機能を回復させる効果があり、認知症の予防およびリハビリとして十分な効果が期待できる形づくりパズルの提供。【解決手段】直角二等辺三角形１、直角二等辺三角形２、正方形形３、平行四辺形４、３種類の多角形５、６、７各１個の合計７種類８個の組み合わせ片で構成し、３種類の多角形５、６、７は、いずれも、正方形３が１個に、直角二等辺三角形１が２個で構成されたもので、構成要素の正方形の１辺の長さと直角二等辺三角形の直角を挟む２辺の長さは等しく、組み合わせ片１〜７の全部もしくは、いくつかを組み合わせて、課題図形を作る。【選択図】図１
0003201570.tif 000002
【実用新案登録請求の範囲】
【請求項１】
１：直角二等辺三角形（１）2個、直角二等辺三角形（２）1個、
正方形形（３）1個、平行四辺形（４）1個、３種類の多角形（５）（６）（７）各1個の合計7種類8個の組み合わせ片で構成。
２：３種類の多角形（５）（６）（７）は、いずれも、正方形（３）１個に、直角二等辺三角形（１）２個で構成されたもので、構成要素の正方形の１辺の長さと直角二等辺三角形の直角を挟む２辺の長さは等しい。
３：組み合わせ片（１）〜（７）の全部もしくは、いくつかを組み合わせて、課題図形を作る。
以上の要素からなる認知症予防およびリハビリのための形づくりパズル。
【考案の詳細な説明】
【技術分野】
【０００１】
本考案は、認知症を予防およびリハビリのための脳機能回復法に関する考案
【背景技術】
【０００２】
三角形や四角形など基本的な単位図形を用いて、課題図形を作るパズルがある。
例えば、タングラムがある。
【考案の概要】
【考案が解決しようとする課題】
【０００３】
従来の多くは、幼児を対象とした知育玩具が主であり、三角形のみを使って形を作るといった簡易なものであったり、逆に、タングラムのように、複雑・難解なものが多い。
また、脳機能回復法として、パズル以外に計算ドリルや漢字ドリルなどがあるが、
学習というイメージが強く、認知症の予防・リハビリに必要な継続性を引き起こす楽しみに欠ける。
【課題を解決するための手段】
【０００４】
本考案は、課題の形を作る組み合わせ片を三角形と四角形という単純な図形だけでなく、三角形と四角形を組み合わせた多角形も加えた7種類とすることで、幼児向けの図形パズルとタングラムの中間の難易度にすることができ、また、組み合わせ片で作る課題図が意味ある形・身の回りで目にする物品の形ができる。
【考案の効果】
【０００５】
本考案は、7種類の組み合わせ片を用いて、課題の形を作るパズルであるため、
物事を計画的に行う遂行機能、形を認識する図形認識機能を回復させる効果があり、認知症の予防およびリハビリとして十分な効果が期待できます。
【０００６】
本考案では、約40種類の意味あるものの形が作成可能です。
【０００７】
7種類の組み合わせ片は、それぞれ色付けされており、図形認識力が低下した認知症の方でも色で組み合わせ片を判別してパズルに取り組むことができます。
【図面の簡単な説明】
【０００８】
【図１】本考案の７種類の組み合わせ片の平面図形である。
【図２】本考案で作ることのできる形（課題図形）の１つの平面図である。
【考案を実施するための形態】
【０００９】
作る形（課題図形）を実物大で紙面上に提示し、どの組み合わせ片を使うと課題図形ができるかを考えさせる。
【実施例】
【００１０】
紙面上に課題図形を実物大で提示し、紙面上に組み合わせ片をのせていくことで課題図形を作る。
組み合わせ片は、厚紙、プラスチック、木などで作成する。
【産業上の利用可能性】
【００１１】
認知症予備群の認知症予防のための脳トレーニング教材として、認知症群の認知症進行抑制のためのリハビリ教材として利用できる。
【符号の説明】
【００１２】
１：組み合わせ片の長さ比率
√２：組み合わせ片の長さ比率
（１）〜（７）：組み合わせ片
【図１】
0003201570.tif 000003
【図２】
0003201570.tif 000004
(57)【要約】      （修正有）【課題】土踏まず部分がブリッジ状になり足底筋に張力を生じ等尺性収縮の筋力強化ができると同時に、下肢全体の筋の筋力強化も併せて行える足指・踵荷重起立台を提供する。【解決手段】基盤１上に足指荷重台２と踵荷重台３を設け、足指荷重台は５本の足指の並びに合うように取り外し可能型にし、足指荷重台と踵荷重台に足指と踵を乗せて荷重することで、土踏まず部分がブリッジ状になり足底筋に張力を生じ等尺性収縮の筋力強化ができる。同時に下肢全体の筋（大腿四頭筋や大腿二頭筋など）の筋力強化も併せて行える。【選択図】図１
0003201544.tif 000002
【実用新案登録請求の範囲】
【請求項１】
基盤（１）上に足指荷重台（２）と踵荷重台（３）を設け、足指荷重台（２）は５本の足指の並びに合うように取り外し可能型にし、基盤（１）上に設置した足指荷重台（２）と踵荷重台（３）に足指と踵に荷重することで、土踏まず部分がブリッジ状になり足底筋に張力を生じ等尺性収縮の筋力強化ができることと、同時に下肢全体の筋（大腿四頭筋や大腿二頭筋などのこと）の筋力強化も併せて行えるように工夫したことが特徴の足指・踵荷重起立台。
【請求項２】
足指荷重台（２）と踵荷重台（３）の表面には取り外し可能な皮膚表面刺激としての凹凸シールや皮膚刺激シール（４）を貼付し、浮き指状態等の足指と踵への皮膚刺激ができる請求項１記載の足指・踵荷重起立台。
【考案の詳細な説明】
【技術分野】
【０００１】  本考案は、基盤上に設置した足指荷重台と踵荷重台に足指と踵に荷重することで、土踏まず部分がブリッジ状になり足底筋に張力を生じ等尺性収縮の筋力強化ができることと、同時に下肢全体の筋（大腿四頭筋や大腿二頭筋などのこと）の筋力強化も併せて行えるように工夫した足指・踵荷重起立台に関するものである。
さらに、関節を動かさない等尺性収縮で、痛みの少ない効率的筋力強化ができる足指・踵荷重起立台に関するものである。
等尺性収縮とは、筋肉の長さを変えず、関節の動きも起さないで行う筋収縮の意味である。
【背景技術】
【０００２】  従来、起立姿勢で平坦な床や板の上で下肢の各関節を他動的、または、自動的に屈伸させるスクワットの様な運動方法やそれを行う運動器具があった。
また、医療機器やリハビリテーション関連機器としてコンピューター内臓のものが存在した。
このような機器は、使用操作が煩雑で、また、高額な機器が多く、さらに、機器が大きく設置には広い場所を必要とした。
特定の研究機関や大学病院などに設置されているのみで、一般病院や学校などではほとんど設置されていない。
【考案の概要】
【考案が解決しようとする課題】
【０００３】  これは、次のような欠点があった。
（イ）従来、スポーツや医療の分野で用いられているこれに類するものは、下肢各関節を他動運動、または、自動運動で屈伸させるような運動器具で足底面の筋力や張力を発生させない方法での筋力強化方法で運動効率が極めで低かった。
足底面全体で平坦な床面上に荷重するため、足底筋に張力が発生せず足底筋の筋力強化とはならなかった。
そのため運動効果が低く、時間効率も低かった。
さらに、関節痛や老化などが原因で膝関節や足関節などの関節を大きく動かすことのできない人のために、関節を動かさないで足底筋を含めた下肢筋全体の筋力強化運動が可能な足指・踵荷重起立台である。
今回、考案した足指・踵荷重起立台は、これらの非効率、低時間効率、有痛性の下肢運動を極めて簡易な運動訓練器で改善可能とした。
（ロ）従来、これらの起立台は、床や平坦な基盤に起立する仕様のものだけであった。
今回、考案した足指・踵荷重起立台は、この問題を解決するために座位でも使用可能とした。
さらに、練習用自転車のペダルに取り付けることも可能とした。
このことで、自転車での使用でも、自転車以外の使用でも（座位姿勢や仰向けでも）使用可能とした。
このことは、健常者のみならず、病気などで起き上がりが不可能な人、座位保持が不可能な人、痛みで関節を大きく動かせない人などにも足底筋を含めた下肢全体の効率的な筋力強化訓練を可能とした。
これらのペダルの製作は、自転車などの専門メーカー以外は不可能と一般的に考えられていた。
これらの事実を解決し、ペダルの製作を簡易なものとし、また、安価とした。
製作用の材料は、木や合成樹脂など加工し易い物を適宜採用できる。
本考案は、これらの欠点を除くためになされたものである。
人の下肢の筋肉の強化練習をするには、高価な測定機器を所有しなければならず、また、コンピューター内臓の運動機器が多いため操作に要する設定や方法が煩雑であった。
さらに運動機器が大きく設置や扱いに困難な場合があった。
本考案は、これらの課題を解消するためになされたものである。
【課題を解決するための手段】
【０００４】  基盤（１）上に足指荷重台（２）と踵荷重台（３）を設け、
足指荷重台（２）は５本の足指の並びに合うように取り外し可能型にし、
基盤（１）上に設置した足指荷重台（２）と踵荷重台（３）に足指と踵に荷重することで、土踏まず部分がブリッジ状になり足底筋に張力を生じ等尺性収縮の筋力強化ができることと、同時に下肢全体の筋（大腿四頭筋や大腿二頭筋などのこと）の筋力強化も併せて行えるように工夫したことが特徴の足指・踵荷重起立台。
【考案の効果】
【０００５】  廉価で、また、携帯可能である上に異なる肢位や体位の場面に応じることができる。
下肢に変形性関節症等の疾患を持つ患者にも座位での踏込運動で適応できる。
さらに寝たきり状態の患者にも仰臥位のまま足指・踵荷重起立台を横に立てて設置することで使用可能である。
【図面の簡単な説明】
【０００６】
【図１】  本考案の斜視図である。
【図２】  本考案の上面図である。
【図３】  本考案の他の実施例を示した斜視図である。
【考案を実施するための形態】
【０００７】  基盤（１）に足指荷重台（２）と踵荷重台（３）を設ける。
足指荷重台（２）は足指の並びに合うように取り外し可能型にする。
足指荷重台は足指の形状に適合させる。
また、基盤の底面が滑らない様に基盤の裏面には滑り止めラバーを全面に貼る。
以上のように構成された足指・踵荷重起立台である。
本考案を使用するときには、両側の５本の足指と踵をそれぞれ左右の足指荷重台（２）と踵荷重台（３）の上において起立する。
５本の足指はアーチの形状を呈している場合が多いので、足指荷重台（２）は適宜形状を変形して使用する。
足指荷重台（２）と踵荷重台（３）の表面に、取り外し可能な皮膚表面刺激としての凹凸シールや皮膚刺激シールを貼付することもある。
凹凸シールや皮膚刺激シールを貼付することで足指と踵への皮膚刺激とし、それを刺激として足底筋の収縮を促進できる。
【符号の説明】
【０００８】    １  基盤
２  足指荷重台
３  踵荷重台
４  皮膚刺激シール
【図１】
0003201544.tif 000003
【図２】
0003201544.tif 000004
【手続補正書】
【提出日】平成27年10月22日(2015.10.22)
【手続補正１】
【補正対象書類名】明細書
【補正対象項目名】０００６
【補正方法】変更
【補正の内容】
【０００６】
【図１】本考案の斜視図である。
【図２】本考案の他の実施例の斜視図である。
(57)【要約】      （修正有）【課題】弦楽器の演奏時に楽譜や歌詞を見る場合に、譜面台を立てるスペースが必要なくなり、弦楽器本体と同時に移動できる譜面台を提供する。【解決手段】弦楽器に使用される譜面台であって、サウンドホールに固定部２を差し入れ引っかけ、表面板を挟んで装着できる脱着式で、譜面を配置する場合には背面側に当設して譜面及びクリップボード等を前面部の一般面よりも前出して配置させる突起部３を有し、突起部の上の位置にも譜面及びクリップボード等配置できる突起部４を有する。【選択図】図１
0003201549.tif 000002
【実用新案登録請求の範囲】
【請求項１】
譜面を載せる譜面台本体１、譜面台本体１の端部に固定部２を形成し、前記固定部２は弦楽器のサウンドホール内の内縁に掛けよるうに構成された譜面台。
【請求項２】
譜面台本体１の端部に譜面の端部を引っ掛ける突起部３を形成した請求項１に記載の譜面台。
【請求項３】
譜面台本体１の中央部にクリップボードを引っ掛けるための引っ掛け部４を形成した請求項１に記載の譜面台
【考案の詳細な説明】
【技術分野】
【０００１】本考案は、弦楽器のサウンドホールに装着固定できる脱着式で弦楽器本体と同時に移動出来る譜面台に関するものである。
【背景技術】
【０００２】従来、演奏時に楽譜や歌詞等を見る場合譜面台を立て使用している。
譜面台を立てるのにスペースが必要であり、楽器本体と楽譜台は別々に移動する必要がある。
【考案の概要】
【考案が解決しようとする課題】
【０００３】譜面台を立てるには、譜面台の足を広げるスペースが必要であるが、譜面台の足を広げて立てるスペースの必要がない。
弦楽器本体と譜面台を別々に移動させる必要がない。
【課題を解決するための手段】
【０００４】譜面を載せる譜面台本体１、譜面台本体１の端部に固定部２を形成し、前記固定部２は弦楽器のサウンドホール内の内縁に掛けように構成され譜面台。
譜面台本体１の端部に譜面の端部を引っ掛ける突起部３を形成した請求項１に記載の譜面台。
譜面台本体１の中央部にクリップボードを引っ掛けるための引っ掛け部４を形成した請求項１に記載の譜面台。
【考案の効果】
【０００５】この発明の主たる特徴に従うと、譜面台を立てるスペースが必要なくなり、弦楽器本体と同時に移動出来る。【０００６】譜面を載せる譜面台本体の端部に固定部を形成し、前記固定部は弦楽器のサウンドホール内の内縁に掛けように構成され、サウンドホールに引っ掛けて固定することで譜面台が弦楽器本体と一緒に移動することができる。
譜面台本体は譜面置き部及び、クリップボード設置部を、譜面台本体を曲げることにより見やすい位置に譜面台本体を変形できる。
固定部は、サウンドホール内側に掛けると同時に表面板を挟み固定することが出来、固定部の形状を波形などに変形することで、挟む力が増して固定できる。
譜面台本体の端部に譜面の端部を引っ掛ける突起部に楽譜を置くことが出来又、この突起部の一部分を、弦楽器の表面板と指板との段差に接触させることで、譜面台本体がずれることを防止できる。
弦楽器本体と譜面台本体が接触する部分には、塗装などの表面処理をすることにより、弦楽器本体に傷等のダメージを与えない。
譜面台本体の中央部の引っ掛け部にクリップボードを引っ掛け大きな譜面を置くことが出来きる。
【図面の簡単な説明】
【０００７】
【図１】この発明の一実施形態を示す斜視図である。
【図２】本譜面台の一部切欠断面図である。
【図３】弦楽器本体に装着図
【図４】譜面及びクリップボード等設置図
【図５】譜面及びクリップボード等設置図
【考案を実施するための形態】
【０００８】この発明の一実施形態を図１に示す。
譜面台本体１は、途中から緩やかに湾曲している。
譜面台本体１は譜面及びクリップボードを当設して立てかけられ見やすい位置に曲げることが出来る。
譜面台本体１は塗装などの表面処理されており弦楽器本体に傷などのダメージを与えないように処理されている。
譜面引っ掛け部３の真ん中付近に譜面引っ掛け部とは反対方向に固定部２を形成し、固定部２を弦楽器のサウンドホール６より差し入れ引っ掛け、表面板を挟んで譜面台本体１を固定装着することが出来る。
固定部２は脱着が出来る。
固定部２で譜面台本体１を固定装着することで、弦楽器本体５と同時に移動出来る。
譜面引っ掛け部３は譜面台本体の端部を折り曲げ突起とし、譜面及びクリップボードを引っ掛けることが出来る。
譜面引っ掛け部３の折り曲げた突起の一部は、弦楽器本体５の表面板と指板７との段差に引っ掛けることが出来、譜面台本体１がずれるのを防ぐことが出来る。
クリップボードを置く４はクリップボードの厚さに合わせて挟める構造になっており、上部の折り曲げを直角より鋭角にする調整が出来、留めることが出来る
クリップボードを置く４は逆方向に曲げることにより、譜面台本体１を自立させ机などに置くことが出来る。
【０００９】本体製作には、金属及び樹脂等、適正強度を保有する材を用いる。
【符号の説明】
【００１０】１譜面台本体
２固定部
３譜面の引っ掛け部
４クリップボード引っ掛け部
５弦楽器本体
６サウンドホール
７指板
【図１】
0003201549.tif 000003
【図２】
0003201549.tif 000004
【図３】
0003201549.tif 000005
【図４】
0003201549.tif 000006
【図５】
0003201549.tif 000007
(57)【要約】      （修正有）【課題】ＡＣコードのよじれを防止できる回転型ＡＣプラグを提供する。【解決手段】プラスチックベアリングＡ２とＢ７に、固定側プラスチックパイプ５と回転側プラスチックパイプ６を、それぞれ取り付け、固定側パイプの内側上部と下部に接点３、６を、回転側パイプの外側上下には軸受け側接点１０を取り付けて、組み立てる。回転側パイプにＡＣプラグ１を固定し、回転側接点にＡＣコード８を接続して通電する。【選択図】図１
0003201543.tif 000002
【実用新案登録請求の範囲】
【請求項１】
プラスチックベアリングＡとＢに回転側プラスチックパイプ固定側プラスチックパイプ取り付け固定側パイプの内側上部と下部に接点を取り付け回転側パイプの外側上下に部分接点を固定側接点と接触させるそして回転側パイプにＡＣプラグを固定し回転側接点に接続し固定側接点にＡＣコードを接続し固定側回転側それぞれの役割で通電する本考案は電気製品に組み込み使用。
【請求項２】
プラスチックベアリングＡとＢに回転側プラスチックパイプ固定側プラスチックパイプ取り付け固定側パイプの内側上部と下部に接点を取り付け回転側パイプの外部上下に部分接点を固定側接点と接触させるそして回転側パイプにＡＣプラグが付いた2メートルのコードを回転側接点に付ける固定側接点にＡＣコードを接続し固定側回転側それぞれの役割で通電する本考案は電気製品に組み込み使用。
【考案の詳細な説明】
【技術分野】
【０００１】
プラグが回転することによってACコードよじれない、使用しない時はACコードがない。
【背景技術】
【０００２】
プラスッチクのベアリングと電気接点を利用。
【先行技術文献】
【特許文献】
【０００３】
【特許文献１】実願平4-65139
【考案の概要】
【考案が解決しようとする課題】
【０００４】
回転にベアリングを使用する。
【課題を解決するための手段】
【０００５】
回転させてACプラグとして電気的に通用するには電気接点を利用。
【考案の効果】
【０００６】
先に述べたように本考案はACコードがヨジレない。
【図面の簡単な説明】
【０００７】
【図１】プラスチックベアリング及びプラスチックパイプACフ゜ラク゛と接点で構成されている。
【図２】プラスチックベアリング及びプラスチックパイプ、ＡＣプラグの付いたＡＣコードと接点でこうせいされている。
【考案を実施するための形態】
【０００８】
本考案は実際コードがない使用する時は延長コードを接続する。
【実施例】
【０００９】
本考案の物品はドライヤー、ヘアーアイロン、等に組み込み使用。
【産業上の利用可能性】
【００１０】
老若男女皆さんが重宝に使用。
【符号の説明】
【００１１】
図1上から。1・ACプラグ、2・プラスチックベアリングA、3・接点、4・プラグ側ACコード、5・固定側プラスチックパイプ、6・回転側プラスチックパイプ、6・・接点、7・プラスチックベアリングB、8・固定側ACコード、9・ACプラグ受け回転、10・軸受け側接点、11・固定側接点、12・ＡＣプラグ受け回転。
図2上から。1・ＡＣプラグ、1・・ＡＣコード、２・プラスチックベアリングＡ，3・接点、４・プラグ側ＡＣコード、5・固定側プラスチックパイプ、6・回転側プラスックパイプ、6・・接点、７・プラスチックベアリングＢ、8・固定側ＡＣコード、9・ＡＣプラグ受け回転、10・軸受け側接点、11・固定側接点、12・ＡＣプラグ受け回転。
【図１】
0003201543.tif 000003
【図２】
0003201543.tif 000004
【手続補正書】
【提出日】平成27年10月5日(2015.10.5)
【手続補正１】
【補正対象書類名】実用新案登録請求の範囲
【補正対象項目名】全文
【補正方法】変更
【補正の内容】
【実用新案登録請求の範囲】
【請求項１】
・プラスチックベアリングA（2）とB（7）に、固定側プラスチックパイプ（5）と回転側プラスチックパイプ（6）を、固定側パイプの内側上部（3）と下部（9）に接点を、回転側パイプの外側上下には軸受け側接点（10）を取り付けることにより、固定側パイプ内側上部（3）と下部（9）が接触するように組み立て、回転側パイプにACフ゜ラク゛を固定し、回転側接点に接続したACコードにより通電することで電気製品に組み込み使用される、回転するACプラグ。
【請求項２】
・プラスチックベアリングA（2）とB（7）に、固定側プラスチックパイプ（5）と回転側プラスチックパイプ（6）を、固定側パイプの内側上部（3）と下部（9）に接点を、回転側パイプの外側上下には軸受け側接点（10）を取り付けることにより、固定側パイプ内側上部（3）と下部（9）が接触するように組み立て、回転側パイプにACフ゜ラク゛を固定し、回転側接点に接続したACコードにより通電することで電気製品に組み込み使用される、回転するコード付ACプラグ。
・
【手続補正２】
【補正対象書類名】明細書
【補正対象項目名】００１１
【補正方法】変更
【補正の内容】
【００１１】
図1上から。（1）・ACプラグ、（2）・プラスチックベアリングA、（3）・固定側接点AA、（4）・プラグ側ACコード、（5）・固定側プラスチックパイプ、（6）・回転側プラスチックパイプ、（9）・固定側接点BB、（7）・プラスチックベアリングB、（8）・固定側ACコード、（6）・回転側プラスチックパイプ、（10）・軸受け側接点、（3）・固定側接点AA、（6）・回転側プラスチックパイプ。
図2上から。（1）・ACプラグ、（14）・ACコード、（2）・プラスチックベアリングA、（3）・固定側接点AA、（4）・プラグ側ACコード、（5）・固定側プラスチックパイプ、（6）・回転側プラスチックパイプ、（9）・固定側接点BB、7・プラスチックベアリングB、（8）・固定側ACコード、（6）・回転側プラスチックパイプ、（10）・軸受け側接点、（3）・固定側接点AA、（6）・回転側プラスチックパイプ。
【手続補正３】
【補正対象書類名】図面
【補正対象項目名】全図
【補正方法】変更
【補正の内容】
【図１】
0003201543.tif 000005
【図２】
0003201543.tif 000006
(57)【要約】【課題】快適な使用感と形状安定性などの耐久性を兼ね備えた、様々な付加価値を有する実用的な機能性シートを提供する。【解決手段】無数の微小気泡１と無数の機能性鉱物粒子２とを混在させた樹脂３を、布体４に積層させた機能性シートとする。その際、好ましくはまだら（水玉）模様状に積層させる。【選択図】図２
0003201546.tif 000002
【実用新案登録請求の範囲】
【請求項１】
無数の微小気泡と無数の機能性鉱物粒子とを混在させた樹脂を、布体に積層させて成ることを特徴とする機能性シート。
【請求項２】
布体にまだら模様状に積層させて成ることを特徴とする機能性シート。
【考案の詳細な説明】
【技術分野】
【０００１】この考案は、人体に対し有用な物性や機能を付与する機能性シートに関する。
【背景技術】
【０００２】様々な鉱石やセラミックスのなかには、人体に対し有用な作用を与えるとされるものが各種知られている。例えば一般的に遠赤外線材料と言われるもの、ホルミシス材料と言われるもの、トルマリンのような極性結晶体、磁性体、或いは金属シリコンやブラックシリカ等のように、あるテラヘルツ領域の遠赤外線を選択的に輻射または反射する鉱物は、明らかに快適感を伴う癒し効果や健康促進効果などが報告されているため、これを見回り品としての布地に適用して、その粉末を塗料化して塗布したり樹脂中に練り込んだりする試みもなされてきた。【０００３】また発泡ポリエチレンシートは断熱性はあるものの、布地のような強度や使用感に欠けるため、布地に発泡樹脂を積層する試みもなされている。
【考案の開示】
【考案が解決しようとする課題】
【０００４】しかしながらこのような鉱物粉末は樹脂との親和性が必ずしも良いとはいえず、仮に塗料化して布地に塗布しても、触感を著しく損なうばかりか、屈曲により剥離しやすいなどの憂いがあった。また樹脂中に練り込んでも、使用感が良好で強度のある微細フィラメントにすることが極めて困難なため、今日に至っても布地を用いた満足できる機能性シートは実現していない。【０００５】また発泡樹脂を積層する方法は意外と難しく、上表面などの形状安定性や耐久性などが損なわれがちであるため、これも未だあまり実用化されていない。【０００６】本考案はかかる現状を打開して、快適な使用感と形状安定性などの耐久性を兼ね備えた、様々な付加価値を有する実用的な機能性シートを提供することを課題とするものである。
【課題を解決するための手段】
【０００７】無数の微小気泡１と無数の機能性鉱物粒子２とを混在させた樹脂３を、布体４に積層させて、本考案の機能性シートとする。【０００８】積層手段は、機能性鉱物粒子（粉末）をおよそ３０〜４０Ｗ％と適宜発泡剤を加えた塗料用樹脂を、通常の塗装技術で布地に塗布・乾燥させてベタ塗り状態にするか、或いはシルクスクリーン印刷によりまだら模様（水玉模様など）状に積層する方法などがある。【０００９】ここで言う機能性鉱物粒子２とは、前記で掲げた各種鉱物、とりわけ金属シリコンや特殊セラミックスのように生体細胞にとって好ましいテラヘルツ領域遠赤外線を選択的に輻射ないし反射する鉱物や、酸化チタンのように抗菌性など有用な機能を有する鉱物を粉末化したものを指す。
【作用】
【００１０】本考案はこのような構成であるから、無数の微小気泡１により積層部は所定の厚みを持たせられると同時に軽量で断熱性がある。
【００１１】にもかかわらず、機能性鉱物粒子２が混在しているから、加圧などの外力による変形がおこりにくく、形状が安定し、良好な使用感を長期にわたって保ちつつ、人体に有用な機能をも発揮する。
【００１２】また微小気泡１は硬質な鉱物や樹脂の緩衝材となって、布地の屈曲に伴う亀裂や剥離をおこしにくくする。
【００１３】さらに積層をまだら模様にすることにより多数の厚み段差ができるから、人体にほどよい刺激や指圧的作用を与え、さらに使用時における滑り（ずり落ち）防止作用などもある。
【考案の効果】
【００１４】このように本考案によれば、強度があり使用感の良い布地をベースシートに用いて、人体に有用な様々な機能を有しながら形状の安定している機能性シートを広範に提供でき、また塗布層に厚みがあるため、ユーザーにとって確かに機能材が塗着されている実感を感じ取れるという効果がある。
【考案を実施するための最良の形態】
【００１５】金属シリコン粉末を３０〜４０％混合した油性樹脂バインダーに感熱性発泡剤を加えてこれを布地に水玉模様状にシルクスクリーン印刷し、その上からアイロン状加熱機で気泡率約３０％程度に発泡させて、０．５ｍｍ厚またはそれ以上の塗厚層が形成されたシートからなる枕カバーとする。【００１６】上記シートを枕に用いた体験例によれば、睡眠中の使用感の良さや生命光線といわれるテラヘルツ領域優勢の環境をつくることなどから、安眠枕として甚だ好評であった。なお本考案は他の機能材料を用いたり商品形態が多岐にわたるなど、かかる例に限定されるものでないことは言うまでもない。
【産業上の利用可能性】
【００１７】本考案には十分なニーズがあるとともに作用がマイルドで人畜無害であり、形状安定化や量産にも適しているから、産業上の利用可能性は十分にある。
【図面の簡単な説明】
【００１８】
【図１】本考案一例の平面図
【図２】本考案一例の拡大断面図
【符号の説明】
【００１９】１……微小気泡
２……機能性鉱物粒子
３……樹脂
４……布体
【図１】
0003201546.tif 000003
【図２】
0003201546.tif 000004
【手続補正書】
【提出日】平成27年9月18日(2015.9.18)
【手続補正１】
【補正対象書類名】実用新案登録請求の範囲
【補正対象項目名】全文
【補正方法】変更
【補正の内容】
【実用新案登録請求の範囲】
【請求項１】
無数の微小気泡と無数の機能性鉱物粒子とを混在させた樹脂を、布体に積層させて成ることを特徴とする機能性シート。
【請求項２】
布体にまだら模様状に積層させて成る請求項１記載の機能性シート。